(57)【要約】【課題】光ディスクを高速回転させた場合でも、空気流と光ディスクの振動の干渉により発生するディスク共振を抑え、安定した回転駆動を可能とする。【解決手段】光ディスク１１の上面１１Ａ、下面１１Ｂ及び外周面とほぼ一定の間隔をもって対向し、光ディスク１１の外周面と対向する内周面１７Ｃが密閉された円筒形空間２０に、光ディスク１１を装着する。光ディスク１１の外周側が密閉されることによって、空気流が半径方向に流れることを阻止し、安定した空気流を発生させて、共振振幅の増加を抑える。【選択図】図１
2007157180.tif 000002
【特許請求の範囲】
【請求項１】
光ディスクの上面、下面及び外周面とほぼ一定の間隔をもって対向し、前記光ディスクの外周面と対向する内周面が密閉された円筒形空間に、前記光ディスクが装着される
ことを特徴とする光ディスク駆動装置。
【請求項２】
前記光ディスクの外周面と、前記円筒形空間の内周面との距離が、１ｍｍ以上１０ｍｍ以下である
ことを特徴とする請求項１記載の光ディスク駆動装置。
【請求項３】
前記光ディスクの上面及び下面と、前記円筒形空間の前記光ディスクと対向する内側面との距離が、１ｍｍ以上４ｍｍ以下である
ことを特徴とする請求項１記載の光ディスク駆動装置。
【請求項４】
前記円筒形空間の前記光ディスクの上面及び下面と対向する内側面の一部に、前記光ディスクの回転軸固定部挿入口と、光学ピックアップ挿入口とが設けられて成る
ことを特徴とする請求項１記載の光ディスク駆動装置。
【請求項５】
前記円筒形空間を構成する空間形成部が、２以上の部品から成る
ことを特徴とする請求項１記載の光ディスク駆動装置。
【請求項６】
前記円筒形空間を構成する空間形成部の下部が、前記光ディスクを載置するディスクトレーである
ことを特徴とする請求項５記載の光ディスク駆動装置。
【請求項７】
前記円筒形空間を構成する空間形成部が、光ディスクの装着又は交換時に分離可能な構造とされて成る
ことを特徴とする請求項５記載の光ディスク駆動装置。
【請求項８】
前記円筒形空間を構成する空間形成部の上部が、前記空間形成部の下部に対し移動可能に取り付けられて成る
ことを特徴とする請求項５記載の光ディスク駆動装置。
【請求項９】
光ディスクを回転駆動する光ディスク駆動装置を有し、前記光ディスクに光を照射して記録及び／又は再生を行う光記録再生装置であって、
前記光ディスク駆動装置において、
前記光ディスクの上面、下面及び外周面とほぼ一定の間隔をもって対向し、前記光ディスクの外周面と対向する内側面が密閉された円筒形空間に、前記光ディスクが装着される
ことを特徴とする光記録再生装置。
【発明の詳細な説明】
【技術分野】
【０００１】
本発明は、光ディスクを回転駆動して光ディスクに記録及び／又は再生を行う光ディスク駆動装置及び光記録再生装置に関する。
【背景技術】
【０００２】
近年の光ディスク駆動装置においては、高速にデータを記録再生することを目的として、光ディスクを１００００ｒｐｍ（回転数／分）程度の速度で高速回転させることが要求されている。空気は粘性を持っているため、光ディスク上下面近傍の空気は、光ディスク円周方向に流れると同時に光ディスク半径方向にも流れる。光ディスク駆動装置内部において、光ディスク周囲に機構部品が対称に配置されていることはなく、これら機構部品の影響によって空気流は光ディスク上下面でも対称とはならず、また光ディスク外周から流れ出た空気流もディスク周囲でさまざまな流れを作る。つまり、光ディスクに及ぼす圧力の分布も一様ではなく、常に変動している。
このような状況においては、空気流の圧力分布変動と光ディスク振動が干渉し、光ディスクが大きく変形しながら振動するという問題が発生する。また条件によっては過大な変形により光ディスク自体が破損する恐れもある。
【０００３】
振動発生を防止する従来技術としては、ディスクのまわりに整流板を設置してディスク表面の空気流を整え、ディスク振動を抑える技術などが提案されている。
例えば、ディスク表面に近接させて同心円状の仕切り壁やリング状突起またはリング状溝を設けて半径方向の空気流を制限することによりディスク振動を減少させる構造が提案されている（例えば特許文献１及び２参照。）。
また、近年コンピュータと組み合わせて使用するＣＤ−ＲＯＭ（Compact Disc−Read Only Memory）において、ディスクの上方にディスク面を被う円盤状カバーを設け、空気の流れを制御し、ディスク振動を防止するという技術も提案されている（例えば特許文献３参照。）。
【０００４】
【特許文献１】特開２０００−３５７３８５号公報
【特許文献２】特許第３６３０６００号公報
【特許文献３】特開２００３−６８０５１号公報
【発明の開示】
【発明が解決しようとする課題】
【０００５】
最近ではさらに高速なデータ記録再生が要求されており、ディスク回転数は１００００ｒｐｍを超え、２００００ｒｐｍ前後に到達しようとしている。しかし、上記特許文献１及び２に提案されているような、ディスク表面に近接させて同心円状の仕切り壁やリング状突起またはリング状溝を設けて半径方向の空気流を制限する方法では、２００００ｒｐｍという高速回転まで半径方向の空気流を制限しディスク振動を減少させることは困難であることが予想できる。
例えば上記特許文献２の図面中図３に示されるデータによれば、リング状突起を設けた実験結果においても１００００ｒｐｍを超えるとディスク振動振幅の増加が見受けられ、これはディスク共振振幅の増大を意味している。２００００ｒｐｍではさらにディスク共振振幅が増大することが予想される。
また、上記特許文献３に示される技術では、ＣＤ−ＲＯＭプレーヤーにおける１２倍速、すなわち外周側で２４００ｒｐｍ前後、内周側で６０００ｒｐｍ前後の回転数におけるディスク振動防止技術の提案にとどまっており、それより高い１００００ｒｐｍ以上、特に２００００ｒｐｍ程度での振動防止効果については検討されていない。
【０００６】
本発明はこのような問題に鑑みて、光ディスクを高速回転させた場合でも、空気流と光ディスクの振動の干渉により発生するディスク共振を抑え、安定した回転駆動が可能な光ディスク駆動装置及び光記録再生装置を提供することを目的とする。
【課題を解決するための手段】
【０００７】
上記課題を解決するため、本発明による光ディスク駆動装置は、光ディスクの上面、下面及び外周面とほぼ一定の間隔をもって対向し、光ディスクの外周面と対向する内周面が密閉された円筒形空間に、光ディスクが装着される構成とする。
【０００８】
また本発明の光ディスク駆動装置において、光ディスクの外周面と、円筒形空間の内周面との距離を、１ｍｍ以上１０ｍｍ以下として構成することが望ましい。
更に本発明の光ディスク駆動装置において、光ディスクの上面及び下面と、円筒形空間の光ディスクと対向する内側面との距離を、１ｍｍ以上４ｍｍ以下として構成することが望ましい。
【０００９】
また、本発明による光記録再生装置は、光ディスクを回転駆動する光ディスク駆動装置を有し、光ディスクに光を照射して記録及び／又は再生を行う光記録再生装置であって、その光ディスク駆動装置において、光ディスクの上面、下面及び外周面とほぼ一定の間隔をもって対向し、光ディスクの外周面と対向する内側面が密閉された円筒形空間に、光ディスクが装着される構成とする。
【００１０】
上述したように、本発明の光ディスク駆動装置及び光記録再生装置においては、光ディスクの上面、下面及び外周面を被う円筒形空間に光ディスクを装着する構成とするものであり、光ディスクの上面及び下面に加えて、特に外周面の外側を被うことにより、光ディスクが、光ディスク駆動装置の内部においてほぼ密閉状態に装着された状態で保持され、回転駆動される構成とするものである。
このような構成とすることによって、光ディスクを高速回転させた時に、光ディスク上面及び下面近傍の半径方向に流れる空気流の発生を防止することができ、空気流の圧力分布変動も最小限に抑えられ、ディスク共振振幅も減少させることができる。
特に、後段の実施形態例において詳細に説明するように、光ディスクの外周面と、円筒形空間の内周面との距離を、１ｍｍ以上１０ｍｍ以下とし、また、光ディスクの上面及び下面と、円筒形空間の光ディスクと対向する内側面との距離を１ｍｍ以上４ｍｍ以下として構成することによって、２００００ｒｐｍの高速回転時においても、確実に光ディスクの共振振幅を低く抑えることができる。
【発明の効果】
【００１１】
以上説明したように、本発明の光ディスク駆動装置及び光記録再生装置によれば、高速回転時においても光ディスクの共振振幅の増大化を抑え、安定した回転駆動を行うことができる。
【発明を実施するための最良の形態】
【００１２】
以下本発明を実施するための最良の形態の例を説明するが、本発明は以下の例に限定されるものではない。
図１は、本発明による光ディスク駆動装置の一実施形態例の要部の概略断面構成図である。図１に示すように、この場合、光ディスク１１はスピンドルモータ４上のターンテーブル５上に載置され、クランパー９により固定される。そして、その周囲が例えばカバー１７によって被われて、カバー１７の内側の円筒形空間２０内に配置される。すなわちこの場合、円筒形空間２０を構成する空間形成部として、カバー１７を用いる。カバー１７には、中央部にターンテーブル挿入口１８が開口される。光ディスク１１の上面１１Ａ及び下面１１Ｂと、これ対向するカバー１７の内側面１７Ａと１７Ｂとの間隔Ｌ、またカバー１７の内周面１７Ｃの直径Ｄは、光ディスクの回転数によって適宜選定することが望ましい。一点鎖線ｃはスピンドルモータ４の回転中心軸を示す。
【００１３】
図２は、図１に示す光ディスク駆動装置を用いて、光ディスク１１の回転数を２０００ｒｐｍから２００００ｒｐｍまで変化させてディスク共振振幅を測定したものである。ディスク共振振幅の定義については、後述する。ディスク１１の上面１１Ａ及び下面１１Ｂと、カバー１７の内側面１７Ａ及び１７Ｂとの間隔Ｌは、２ｍｍとし、またカバー１７の内周面１７Ｃの直径Ｄは１２５ｍｍとして測定した。１００００ｒｐｍを超える回転数においてディスク共振振幅の増加はなく、２０００ｒｐｍから２００００ｒｐｍまでのすべての回転数においてディスク共振防止効果が顕著に現れている。
【００１４】
図２に示す測定例においては、装置の制約から最高回転数を２００００ｒｐｍとしたが、圧力と遠心力がつりあった状態を作り出して半径方向空気流の発生を防止する、という原理から考えて、２００００ｒｐｍ以上の回転数でも効果があることは充分に考えられる。
【００１５】
一方、比較例として、光ディスク１１の外周面を被わない従来型の光ディスク駆動装置を用いて同様の測定を行った。図３にこの光ディスク駆動装置の要部の概略断面構成図を示す。図３に示すように、この場合、光ディスク１１の上面１１Ａと下面１１Ｂに対向してそれぞれ別体のカバー７及び８を設けた。カバー７及び８の外周側には隙間３０が存在する。図３において、図１と対応する部分には同一符号を付して重複説明を省略する。
【００１６】
この装置において、光ディスク１１の表面と下カバー７、上カバー８との間隔Ｌを、１ｍｍ、２ｍｍ、５ｍｍ、１０ｍｍの４種類とし、光ディスク１１の回転数は２０００ｒｐｍから１２０００ｒｐｍまで変化させてディスク共振振幅を測定した。この結果を図４に示す。
図４から明らかなように、光ディスク１１と各カバー７、８との間隔を１〜２ｍｍに設定した場合でも、回転数が９０００ｒｐｍを超える場合は、光ディスク共振振幅の増加が見られ、振動防止効果はないことが分かる。
【００１７】
次に、図２及び図４で示した光ディスク共振振幅の定義について、図５Ａ及びＢを用いて説明する。ディスク共振が発生していない場合は、ディスク面振れを何回測定しても図５Ａに示すような１本の線になる。これに対し、ディスク共振が発生している場合には、ディスク面振れを何回か測定すると図５Ｂに示すように、ある幅を持った測定結果が得られる。この幅をディスク共振振幅と定義する。
【００１８】
また、図５Ａ及びＢからわかるように、ディスク共振が発生していないときは、
［ディスク振動振幅］＝［ディスク面振れ］
となり、ディスク共振が発生しているときは、
［ディスク振動振幅］＝［ディスク面振れ］＋［ディスク共振振幅］
となる。
【００１９】
図６及び図７を用いて、本発明の光ディスク駆動装置の効果について説明する。
図６は、図１において説明した光ディスク駆動装置の要部の概略断面構成図と、光ディスクが定常回転している時のカバー内圧力分布とその時の空気流の遠心力分布を光ディスクの半径方向の位置に対応させて図示したものである。図６において、図１と対応する部分には同一符号を付して重複説明を省略する。図６に示すように、圧力分布と遠心力分布は、光ディスクの中心側から外周側に向かって直線的に増加する。
光ディスク１１が停止状態から回転し始めると、円周方向に流れると同時に半径方向にも流れる空気流が発生する。半径方向に流れる空気流はカバーにより流れを妨げられるとその部分でわずかに圧力が高くなる。高くなった圧力が空気流の遠心力よりも、まだ弱い場合は半径方向に流れる空気流を阻止することができずにさらに周辺部の圧力が高くなる。周辺部の圧力と空気流の遠心力がつりあうところまで圧力が高くなると、半径方向に流れる空気流がなくなり、円周方向の空気流しか存在しないいわば平衡状態となる。
【００２０】
この様子を図７に示す。図７においては、光ディスク１１の中心を通る一点鎖線ｄで区切られた片側半分の平面構成を示す。本発明の光ディスク駆動装置においては、図７に示すように、光ディスク１１の外周側がカバー１７で覆われていることによって、周辺部の圧力と空気流の遠心力がつりあって半径方向の空気流がなくなると、矢印ｂ１、ｂ２、ｂ３、・・・で示すように、光ディスク１１の回転軸ｃを中心とする同心円状の空気流分布のみとなり、その速度はほぼディスク半径に比例した分布を持つ。このように、安定的な空気流分布が保たれることによって、回転数が２００００ｒｐｍ程度まで高速化されても、共振振幅の増大が抑制されるものと思われる。
【００２１】
一方、比較例による従来構成の光ディスク駆動装置の場合は、図３に示すように、外周側に隙間３０が存在していることから半径方向の空気流がなくならず、矢印ａで示すように中心側のターンテーブル挿入口１８から常に空気が流れ込み、図７に示すような安定的な同心円状の空気流分布とはならず、空気流分布が乱れることによって、共振振幅が増大化してしまうものと思われる。
これに対し、本発明によれば、光ディスクを高速回転させた時に、光ディスク上下面近傍の半径方向に流れる空気流の発生を防止することができ、空気流の圧力分布変動を最小限に抑え、ディスク共振振幅の増加を抑制ないしは減少させることが可能である。
【００２２】
次に、図８、図９、図１０及び図１１に示す３種類の構成の光ディスク駆動装置について、光ディスクの回転数に対する共振振幅の違いを検討した。図８〜図１１において、図１と対応する部分には同一符号を付して重複説明を省略する。
図８においては、図１に示す光ディスク駆動装置と同様のカバー１７の形状として、その内周面１７Ｃの内径Ｄを１２５ｍｍ、またディスク１１の上面１１Ａ及び下面１１Ｂとカバー１７の内側面１７Ａ及び１７Ｂとの間隔Ｌを２ｍｍとして構成した。これをカバーＡとする。
図９においては、カバー１７の内周面１７Ｃの内径を１７０ｍｍとし、また、光ディスク１１の上面１１Ａとカバー１７の上側の内側面１７Ａとの距離を２２．８ｍｍ、ディスク１１の下面１１Ｂとカバー１７の下側の内側面１７Ｂとの距離を２６ｍｍとして構成した。これをカバーＢとする。
更に、図１０に示すように、カバー１７の内周面の内径を１２５ｍｍとし、ディスク１１の上面１１Ａ及び下面１１ｂとカバー１７の内側面１７Ａ及び１７Ｂとの間隔Ｌを２ｍｍとするとともに、図１０及び図１１に示すように、カバー１７の一部に光学ピックアップ挿入用の開口部１９を設ける構成とした。これをカバーＣとする。図１１において一点鎖線ｄ１及びｄ２は、平面円形状のカバー１７の中心を通り互いに直交する位置を示す。光学ピックアップ挿入用の開口部１９は、一点鎖線ｄ１及びｄ２の交点であるカバー１７の中心から２０．５ｍｍの位置から外周側に向けて形成される。
【００２３】
これらカバーＡ〜Ｃに対して、回転数を２０００ｒｐｍから２００００ｒｐｍまで変化させて、共振振幅を測定した。この結果を図１２に示す。
図１２から明らかなように、カバーＢでは１２５００ｒｐｍを超えると共振振幅が増加することが分かる。
このことから、カバー１７が光ディスク１１の外周側で密閉されている場合においても、光ディスク１１の上面及び下面１１Ａ及び１１Ｂと、カバー１７の内側面１７Ａ及び１７Ｂとの間隔、また、光ディスク１１の外周面とカバー１７の内周面１７Ｃとの間隔が比較的離間しており、空気流が半径方向に流れることを十分防止できる程度に光ディスク１１の外周面を覆っていない場合は、回転数が１２５００ｒｐｍを超える高回転数領域においては、共振振幅の増加が見られることが分かる。
【００２４】
一方、カバー１７の下面の一部に光学ピックアップ挿入口１９が設けられていても、共振振幅は殆ど変わらず、カバー１７の内側面１７Ａ及び１７Ｂと光ディスク１１の表面との距離、またカバー１７の内周面１７Ｃの内径を適切に選定することによって、十分２００００ｒｐｍという高速回転時においても共振振幅を低く抑える効果が得られることが分かる。つまり、カバー１７によって光ディスク１１の外周面を確実に覆うことが重要であるといえる。
このことから、本発明においてほぼ密閉状態の円筒形空間とは、光ディスクを回転駆動するためのターンテーブル挿入口１８と、光ディスクに信号を記録再生するための光学ピックアップ挿入用の開口部１９が開いている構成を含むものである。またターンテーブル挿入口１８の反対側、カバー１７の上面側には、クランパー９の挿入口があっても、また密閉されていてもよい。
【００２５】
次に、光ディスク１１の外周面とカバー１７の内周面１７Ｃとの間隔、光ディスク１１の表面とカバー１７の内側面１７Ａ及び１７Ｂとの間隔について、より好ましい範囲を検討した。
先ず、光ディスク１１を覆うカバー１７の内周面１７Ｃの内径Ｄを変化させ、ディスク回転数を変化させた場合の共振振幅の変化を測定した。この場合、図１に示す構成の光ディスク駆動装置において、光ディスク１１の上面１１Ａ及び下面１１Ｂと、カバー１７の内側面１７Ａ及び１７Ｂとの間隔Ｌは２ｍｍとして、カバー１７の内周面１７Ｃの内径Ｄを１２２ｍｍ、１２５ｍｍ、１３０ｍｍ、１４０ｍｍとして測定を行った。光ディスク１１の外形は１２０ｍｍである。この結果を図１３に示す。
図１３の結果から明らかなように、内径Ｄが１２２ｍｍから１４０ｍｍの範囲において、共振振幅が抑えられることが分かる。すなわち光ディスク１１の外周面と円筒形空間２０を構成するカバー１７の内周面１７Ｃとの間隔を、１ｍｍ以上１０ｍｍ以下の範囲に選定する場合は、回転数２００００ｒｐｍまで、確実に共振振幅が抑制されることが分かる。
【００２６】
次に、光ディスクの表面とカバー内側面との関係について検討した。この場合、前述の図１に示す光ディスク駆動装置と同様の構成において、カバー１７の内周面１７Ｃの内径を１２５ｍｍとし、カバー１７の内側面１７Ａ及び１７Ｂと光ディスク１１の上面１１Ａ及び下面１１Ｂとの間隔Ｌを１ｍｍ、２ｍｍ、３ｍｍ、４ｍｍ、５ｍｍ、１０ｍｍとして構成し、それぞれの共振振幅の回転数に対する変化を測定した。この結果を図１４に示す。
図１４から明らかなように、光ディスク１１の表面とカバー１７の内側面との間隔が１ｍｍ以上４ｍｍ以下とする場合に、２０００ｒｐｍから２００００ｒｐｍの回転数まで十分に共振振幅を低く抑えることができることが分かる。なお、間隔Ｌを１０ｍｍとした場合は、１２５００ｒｐｍ以上で共振振幅が測定器の測定範囲を超えたため測定不能であった。
【００２７】
次に、本発明による光ディスク駆動装置を有する光記録再生装置の実施形態例について説明する。以下の例においては、光ディスクを覆う円筒形空間を構成する空間形成部、例えばカバーが、２以上の部品から構成される例を示す。
図１５は、本発明による光ディスク駆動装置を有する光記録再生装置の一実施形態例の概略断面構成図である。この光ディスク駆動装置１は、メカシャーシ２と、メカシャーシ２に回転可能に取り付けられたＢＵ（ベースユニット）シャーシ３と、ＢＵシャーシ３に取り付けられたスピンドルモータ４と、スピンドルモータ４の上部に取り付けられ、スピンドルモータ４とともに回転可能なターンテーブル５と、ＢＵシャーシ３に光ディスク１１の半径方向に移動可能に取り付けられた光学ピックアップ６と、メカシャーシ２に移動可能に取り付けられたディスクトレーを兼ねる下カバー７と、メカシャーシ２に取り付けられた上カバー８と、上カバー８に回転可能に保持されているクランパー９と、メカシャーシ２に取り付けられている制御基板１０と、これらを収容する筐体１２とを有している。
【００２８】
一般的に、クランパー９はマグネットによりターンテーブル５に磁気吸引される構造になっており、この磁力により光ディスク１１を下カバー７に固定し、スピンドルモータ４により回転可能にされる。
またメカシャーシ２の上には、図示しないが下カバー７をスライド移動させる駆動機構と、ＢＵシャーシ３を上下移動させる駆動機構が構成されている。
【００２９】
なお図１５においては、ターンテーブル５とクランパー９によってスピンドルモータ４の上部に光ディスク１１が固定されて装着された状態を示す。
この時、下カバー７と上カバー８はその接触面に隙間のない密着状態となるように構成されており、さらに光ディスク１１の周囲の下カバー７及び上カバー８により構成される円筒形空間２０は、その内側面が光ディスク１１の表面とは１〜４ｍｍの距離をもって対向し、また、光ディスク１１の外周面と、円筒形空間２０の内周面とが１〜１０ｍｍの距離をもって対向するように構成することが望ましい。
なお、図１５においては、ターンテーブル挿入口１８と、光学ピックアップ挿入用の開口部１９がつながって連続的に開放されている状態を図示しているが、これらは当然分離していてもよい。
【００３０】
ここで光ディスク１１の装着動作について図１６を用いて説明する。図１６において、図１５と対応する部分には同一符号を付して重複説明を省略する。
図１６は、下カバー７を光ディスク交換位置までスライド移動させた状態を図示している。
ディスク排出動作は、例えば図示しないフロントパネルに取り付けられたディスクエジェクトスイッチを指で押すことにより、また図示しないホストコンピュータ等から光ディスク駆動装置１に入力されたディスクエジェクト信号により開始する。初めにＢＵシャーシ３の移動を行う。ＢＵシャーシ３の右側部分は、メカシャーシ２に回転可能に支持されているため、図示しないＢＵシャーシ３を上下移動させる駆動機構が動作することにより、ＢＵシャーシ３の左側部分を下方向に移動させ、図１６に示すように、ターンテーブル５の上部５１と光学ピックアップ６の上部６１は、下カバー７の下面より低くなり、下カバー７の図１６において左方向へのスライド移動を可能にする。次に下カバー７の左方向へのスライド移動を行う。図示しない下カバー７を移動させる駆動機構が動作することによって下カバー７は左方向へスライド移動し、図１６に示す光ディスク交換位置まで移動する。この状態で光ディスクの交換を行い、その後光ディスクの装着動作にうつる。
【００３１】
ディスク装着動作は、例えば下カバー７を指で押すことにより、またホストコンピュータ等から光ディスク駆動装置１に入力された信号により開始する。まず下カバー７を移動させる駆動機構が動作することによって下カバー７は図１６において右方向へスライド移動し、図１５に示す光ディスク装着位置まで移動する。次に図示しないＢＵシャーシ３を上下移動させる駆動機構が動作することにより、ＢＵシャーシ３の左側部分を上方向に移動させ、図１５に示す状態となる。これによって、光ディスク１１の周囲に光ディスク表面及び外周面と所定の距離をもって円筒形空間２０が構成されて密閉される。
【００３２】
上述したように、この例においては、円筒形空間２０を構成する空間形成部すなわち下カバー７及び上カバー８が、光ディスク１１の装着又は交換時に分離可能な構造とされて成る。
なお、図１５に示す例では上カバー８は筐体１２と別体に構成されているが、両者を一体に構成して部品点数の削減を図ってもよい。
【００３３】
次に、他の実施形態例について説明する。
上述の図１６に示す実施形態例では、上カバー８は筐体１２に固定されており、光ディスク１１の排出装着時には、下カバー７だけがスライド動作する構造となっているが、図１７に示す実施形態例においては、上カバー８は下カバー７に対して移動可能とされ、すなわち図示の例では下カバー７の一端に回転可能に取り付けられており、両者がともにスライド動作して光ディスク装着、交換位置にあるときに、上カバー８が例えば固定点を中心軸として回転可能とした例を示す。図１７において、図１５と対応する部分には同一符号を付して重複説明を省略する。
この場合、下カバー７及び上カバー８が上述の図１６に示す例と同様の機構により光ディスク装着、交換位置まで移動された状態で、上カバー８を上方に回転移動して開きながら光ディスクの装着または交換を行うことができる。
【００３４】
なお、これら図１５〜図１７に示す実施形態例のように、光ディスク１１を覆う円筒形空間２０を構成する空間形成部が上カバー及び下カバーなどの２以上の部品から構成され、特に光ディスク１１の外周面に対向する空間形成部の内周面に分割部を有する場合、このカバー自身が振動しない程度の厚さが必要であり、また半径方向に流れる空気流を阻止するために、ある程度の各部品の密着面の幅、すなわちカバーの厚さが必要である。
この各部品の密着面の幅（カバーの厚さ）としては、十分にこの部分における空気の漏れを回避し、光ディスクの共振を抑制するには、１ｍｍ以上であることが望ましい。
【００３５】
以上説明した本発明の光ディスク駆動装置及び光記録再生装置は、特に高速回転を行う光ディスクに適用して好適である。
以下の表１に、ＢＤ（Blu-ray Disc）（２５ＧＢタイプ）、ＤＶＤ（２層ディスク）及びＣＤにおける内周側と外周側での回転数を示す。
また、表２においては、２００００ｒｐｍの回転数が、上記ＢＤ、ＤＶＤ及びＣＤにおける内周側と外周側とで何倍速に相当するかを示す。
更に、表３においては、上記ＢＤ、ＤＶＤ及びＣＤにおけるディスク外径、ディスク外径の偏芯、面振れのそれぞれ公差の範囲を示す。
【００３６】
【表１】
2007157180.tif 000003
【００３７】
【表２】
2007157180.tif 000004
【００３８】
【表３】
2007157180.tif 000005
【００３９】
表１〜表３より、本発明による光ディスク駆動装置及び光記録再生装置は、ＢＤで１０倍速、ＤＶＤで１３倍速、ＣＤで４０倍速とする場合に適用することにより、共振振幅を確実に抑え、安定した記録再生動作が可能となることが分かる。
【００４０】
以上説明したように、本発明の光ディスク駆動装置及び光記録再生装置においては、光ディスクが、光ディスク駆動装置内部にほぼ密閉状態に装着された状態で保持および回転駆動可能として構成することによって、１００００ｒｐｍを超え、２００００ｒｐｍ程度以上まで共振振幅の増加を抑えることができ、安定した記録及び／又は再生が可能となるという効果が得られる。
【００４１】
なお、本発明による光ディスク駆動装置及び光記録再生装置は、上述の各実施形態例に限定されるものではなく、その他本発明構成を逸脱しない範囲において、種々の変形、変更が可能である。
【図面の簡単な説明】
【００４２】
【図１】本発明による光ディスク駆動装置の一実施形態例の要部の概略断面構成図である。
【図２】本発明による光ディスク駆動装置の一実施形態例の共振振幅測定結果を示す図である。
【図３】比較例による光ディスク駆動装置の一例の要部の概略断面構成図である。
【図４】比較例による光ディスク駆動装置の各例の共振振幅測定結果を示す図である。
【図５】Ａはディスク共振がない場合のディスク振動振幅を示す図である。Ｂはディスク共振がある場合のディスク振動振幅を示す図である。
【図６】カバー内部の圧力分布と遠心力分布を示す図である。
【図７】ディスク表面の空気流速分布を示す図である。
【図８】本発明の光ディスク駆動装置の一実施形態例の要部の概略断面構成図である。
【図９】光ディスク駆動装置の一例の要部の概略断面構成図である。
【図１０】本発明の光ディスク駆動装置の一実施形態例の要部の概略断面構成図である。
【図１１】本発明の光ディスク駆動装置の一実施形態例の要部の概略平面構成図である。
【図１２】図９〜図１１に示す光ディスク駆動装置の各例の共振振幅測定結果を示す図である。
【図１３】光ディスク表面との間隔に対する共振振幅測定結果を示す図である。
【図１４】光ディスク外周面との間隔に対する共振振幅測定結果を示す図である。
【図１５】本発明による光記録再生装置の一実施形態例のディスク装着状態の概略断面構成図である。
【図１６】本発明による光記録再生装置の一実施形態例のディスク排出状態の概略断面構成図である。
【図１７】本発明による光記録再生装置の一実施形態例のディスク排出状態の概略断面構成図である。
【符号の説明】
【００４３】
１．光ディスク駆動装置、２．メカシャーシ、３．ベースユニットシャーシ、４．スピンドルモータ、５．ターンテーブル、６．光学ピックアップ、７．下カバー、８．上カバー、９．クランパー、１０．制御基板、１１．光ディスク、１１Ａ．上面、１１Ｂ．下面１２．筐体、１７．カバー、１７Ａ．内側面、１７Ｂ．内側面、１７Ｃ．内周面、２０．円筒形空間
【図１】
2007157180.tif 000006
【図２】
2007157180.tif 000007
【図３】
2007157180.tif 000008
【図４】
2007157180.tif 000009
【図５】
2007157180.tif 000010
【図６】
2007157180.tif 000011
【図７】
2007157180.tif 000012
【図８】
2007157180.tif 000013
【図９】
2007157180.tif 000014
【図１０】
2007157180.tif 000015
【図１１】
2007157180.tif 000016
【図１２】
2007157180.tif 000017
【図１３】
2007157180.tif 000018
【図１４】
2007157180.tif 000019
【図１５】
2007157180.tif 000020
【図１６】
2007157180.tif 000021
【図１７】
2007157180.tif 000022